(57)【要約】【課題】分娩台を傾斜姿勢にした状態で、分娩台上の分娩姿勢の妊婦に身長方向下向きの軽い衝撃を与え、分娩を効果的に促進させ得る分娩装置を提供する。【解決手段】床面Ｇ上の下枠３と、同下枠に対し脚方向端を回動軸14として水平姿勢から上向きに回動可能な上枠４とから構成される基台２と、上枠の傾斜姿勢を保持する脚部５と、基台の上枠上に身長方向にスライド可能に載置された分娩台６と、分娩台と基台との間に形成され分娩台の脚方向へのスライドにより互いに衝突し合うストッパー26および衝突部27とを具備する構成とする。また、上枠４の横枠部材12の軸受部43間の回動軸44に、ハンドル部46ａを押し下げ操作して、前端の両梃子部46ｂで分娩台６を身長方向上向きにスライドさせるバー46を設け、分娩台６の両側端に分娩台上の妊婦Ｗの身体保持用のバンド31を止める止め具32を取付け、分娩台6の頭方向端に分娩台上の妊婦Ｗが掴むための把持具38を取付ける。【選択図】図３
2009233000.tif 000002
【特許請求の範囲】
【請求項１】
床面上の下枠と、同下枠に対し脚方向端を回動軸として水平姿勢から上向きに回動可能な上枠とから構成される基台と、上枠の傾斜姿勢を保持する脚部と、基台の上枠上に身長方向にスライド可能に載置された分娩台と、分娩台と基台との間に形成され分娩台の脚方向へのスライドにより互いに衝突し合うストッパーおよび衝突部とを具備する分娩装置。
【請求項２】
脚部は、下枠の頭方向端寄りに下端が軸支された左右の下脚部と、上枠の頭方向端寄りに上端が軸支されると共に各下脚部の上端に対しボルトにより連結される上脚部とから構成され、各下脚部および上脚部のそれぞれにボルトを挿通するためのボルト孔が上下に複数設けられている、請求項１記載の分娩装置。
【請求項３】
上脚部の下端が、下脚部の上端に外挿されている、請求項２記載の分娩装置。
【請求項４】
上枠の左右の横枠部材の相対する内面に軸受部が設けられ、両軸受部間に回動軸が支持され、同回動軸の左右２箇所に直角方向に筒体が一体に設けられ、各筒体にはハンドル部と梃子部を備えるＵ字形のバーの腕部が挿通され、当該バーは、手前のハンドル部を押し下げ操作して、前端の両梃子部で分娩台を身長方向上向きにスライドさせる構成である、請求項１ないし請求項３のいずれか一項に記載の分娩装置。
【請求項５】
分娩台の両側端に分娩台上の妊婦の身体を保持するバンドを止める止め具が取付けられ、当該止め具は、分娩台の両側端の上に取付けられた筒体と、この筒体に支持され水平に折り畳み可能な止め具本体とから構成される、請求項１ないし請求項４のいずれか一項に記載の分娩装置。
【請求項６】
分娩台の頭方向端に分娩台上の妊婦が掴むための把持具が取付けられ、当該把持具は、分娩台の両側端の頭方向端寄りに取付けられた筒体と、各筒体に連結端が挿入されて上向きおよび前方にコ字形に折り曲げられ頭上に手の把持部が配置される把持本体とから構成され、各筒体に対し連結端がボルトにより連結され、各筒体および把持本体の各連結端のそれぞれにボルトを挿通するボルト孔が複数設けられている、請求項１ないし請求項５のいずれか一項に記載の分娩装置。
【発明の詳細な説明】
【技術分野】
【０００１】
本発明は、分娩台上で分娩時に物理的な刺激を与えて分娩を促すことができる分娩装置に関するものである。
【背景技術】
【０００２】
従来より、分娩を楽に行うあるいは促するために、看護婦、医師などが手で妊婦をさする等の物理的な刺激を与える方法があるが、これは人手不足の多い病院側にとって時間的および肉体的負担が大きかった。そこで、本出願人は、先に、妊婦が横たわっている分娩台に衝撃を与え、その衝撃により分娩を促進するようにした分娩装置を提案した（特許文献１参照）。分娩台に衝撃を与える手段としては、分娩台を身長方向にブランコ状に揺動させあるいは人力で脚部側のストッパーに分娩台を衝突させる手段などが提案されている。
【０００３】
【特許文献１】特許第２９６６３８７号公報
【発明の開示】
【発明が解決しようとする課題】
【０００４】
しかしながら、上記の分娩装置によると、水平姿勢の分娩台を身長方向に滑動させて衝撃を与える構造であるので、妊婦は水平姿勢のままであり、分娩が必ずしも効果的に促進される装置とは言えなかった。
また、病院から遠隔地に住む妊婦や、自宅内で分娩を希望する妊婦にとっては、自宅内で安心して楽に分娩を行える設備があることが望ましい。その場合、分娩装置は、持ち運んだり、使用しない場合には収納できるように、コンパクトに折り畳める工夫がされていることが望ましい。
【０００５】
本発明は、上記事情に鑑みてなされたもので、その目的とするところは、分娩台を傾斜姿勢にした状態で、分娩台上の分娩姿勢の妊婦に身長方向下向きに物理的刺激を与え、分娩を効果的に促進させ得る分娩装置を提供することにある。また、他の目的は、装置全体をコンパクトに折り畳んで、移動や収納等に便利な分娩装置を提供することである。
【課題を解決するための手段】
【０００６】
上記課題を解決するために、本発明の請求項１に係る分娩装置は、床面上の下枠と、同下枠に対し脚方向端を回動軸として水平姿勢から上向きに回動可能な上枠とから構成される基台と、上枠の傾斜姿勢を保持する脚部と、基台の上枠上に身長方向にスライド可能に載置された分娩台と、分娩台と基台との間に形成され分娩台の脚方向へのスライドにより互いに衝突し合うストッパーおよび衝突部とを具備することを特徴とする。
【０００７】
請求項１に係る分娩装置によると、分娩台を傾斜姿勢にして、傾斜姿勢の分娩台を身長方向にスライドさせることにより、分娩台上の分娩姿勢の妊婦に身長方向への軽い衝撃による物理的刺激を与え、分娩を効果的に促進させることができる。ここで、分娩台は、水平姿勢の０度から９０度未満の間の傾斜角度で傾斜姿勢を取ることが可能である。妊婦は傾斜姿勢の分娩台上で分娩台に背中をもたれかからせた楽な姿勢で分娩を行なうことができる。
【０００８】
本発明の請求項２に係る分娩装置は、脚部を、下枠の頭方向端寄りに下端が軸支された左右の下脚部と、上枠の頭方向端寄りに上端が軸支されると共に各下脚部の上端に対しボルトにより連結される上脚部とから構成し、各下脚部および上脚部のそれぞれにボルトを挿通するためのボルト孔を上下に複数設けたことを特徴とする。
【０００９】
請求項２に係る分娩装置によると、下脚部および上脚部を互いに連結するボルトを挿通するボルト孔を、上下の複数のボルト孔から適宜選択することにより、下脚部および上脚部全体の長さを調整し、分娩台の傾斜角度を容易に調整することができる。これにより、分娩台の傾斜姿勢を個々の妊婦に合わせた最適な傾斜角度に設定することができる。一方、ボルトを外す事により、下脚部および上脚部をそれぞれ水平に畳み、下枠に上枠を水平に重ねて、分娩装置全体をコンパクトに折り畳むことができる。
【００１０】
本発明の請求項３に係る分娩装置は、上脚部の下端を下脚部の上端に外挿することを特徴とする。
【００１１】
請求項３に係る分娩装置によると、上脚部の下端を下脚部の上端に外挿する構成とすることにより、分娩装置の組立時、傾斜角度の調整時あるいは分解時における作業の安全性を高めることができる。即ち、下脚部の上端外周と上脚部の下端内周との間の隙間が上脚部の下端面に開口し、同隙間が上脚部の上端面に開口しないから、作業時に作業員が同隙間に指等を挟んでしまうおそれが殆どなくなる。
【００１２】
本発明の請求項４に係る分娩装置は、上枠の左右の横枠部材の相対する内面に軸受部を設け、両軸受部間に回動軸を支持し、同回動軸の左右２箇所に直角方向に筒体を一体に設け、各筒体にはハンドル部と梃子部を備えるＵ字形のバーの腕部を挿通し、当該バーを、手前のハンドル部を押し下げ操作して、前端の両梃子部で分娩台を身長方向上向きにスライドさせる構成としたことを特徴とする。
【００１３】
請求項４に係る分娩装置によると、分娩の補助者がハンドル部を押し下げ操作して、梃子の原理を利用して、軽い力で分娩台を身長方向上向きに持ち上げ、そこから、ハンドル部を離して、分娩台を脚方向にスライドさせて、分娩台上の妊婦に分娩時の物理的刺激を与えることができる。分娩の補助者は負担が楽であり、ハンドル部を繰り返し押し下げ操作して、長時間に亘り、妊婦に物理的刺激を与えて、分娩の促進を効果的に図ることができる。
【００１４】
本発明の請求項５に係る分娩装置は、分娩台の両側端に分娩台上の妊婦の身体を保持するバンドを止める止め具を取付け、当該止め具を、分娩台の両側端の上に取付けた筒体と、この筒体に支持され水平に折り畳み可能な止め具本体とから構成することを特徴とする。
【００１５】
請求項５に係る分娩装置によると、バンド用の止め具の、止め具本体を水平に折り畳み可能とすることで、分娩装置を折り畳む際に、止め具も合わせて、コンパクトに折り畳むことができる。
【００１６】
本発明の請求項６に係る分娩装置は、分娩台の上方に分娩台上の妊婦が把むための把持具を取付け、当該把持具を、分娩台の両側端の頭方向端寄りに取付けた筒体と、各筒体に連結端を挿入して上向きおよび前方にコ字形に折り曲げられ頭上に手の把持部が配置される把持本体とから構成し、各筒体に対し連結端をボルトにより連結し、各筒体および把持本体の各連結端のそれぞれにボルトを挿通するボルト孔を複数設けたことを特徴とする。
【００１７】
請求項６に係る分娩装置によると、各筒体および把持本体の各連結端のそれぞれに設けた複数のボルト孔から、ボルトを挿通するボルト孔を適宜選択することにより、分娩台の妊婦の身長に合わせて頭上の把持部の前後位置を調整し、妊婦の身長に合わせた最適な把持ポジションを取ることができる。また、ボルトを外す事により、把持具を分娩台から取り外し、分娩装置全体をコンパクトに折り畳むことができる。
【発明の効果】
【００１８】
以上説明したように、本発明に係る分娩装置によると、分娩台を脚方向が下向きで頭方向が上向きとなる傾斜姿勢にした楽な分娩姿勢で、分娩台を身長方向にスライドさせて、分娩台上の分娩姿勢の妊婦に身長方向の軽い衝撃による物理的刺激を与え、分娩を効果的に促進させることができるという優れた効果を奏する。
【００１９】
また、本発明に係る分娩装置によると、分娩台を傾斜姿勢に支える脚部を、下枠の頭方向端寄りに軸支された左右の下脚部と、上枠の頭方向端寄りに軸支されると共に各下脚部の上端に対しボルトにより連結される上脚部とから構成したから、ボルトを外すことにより、下脚部および上脚部を水平に折り畳み、これにより、装置全体をコンパクトに折り畳んで、持ち運びや収納性に優れた分娩装置を実現できるという優れた効果を奏する。
【発明を実施するための最良の形態】
【００２０】
以下に、本発明に係る実施の形態を、図面を参照して説明する。図１において、符号１は分娩装置を示している。
【００２１】
分娩装置１は、図１に示すように、床面Ｇ上に設置される下枠３と、同下枠３に対し脚方向端を回動軸として水平姿勢から上向きに回動可能な上枠４とから構成される基台２と、上枠４の傾斜姿勢を保持する脚部５と、基台２の上枠４上に身長方向にスライド可能に載置された分娩台６とから基本構成されている。
【００２２】
基台２の下枠３は、前後の前枠部材７および後枠部材８と左右の横枠部材９，９とから矩形枠状に形成されており、同じく、基台２の上枠４は、前後の前枠部材１０および後枠部材１１と左右の横枠部材１２，１２とから矩形枠状に形成されている。下枠３の前枠部材７の上面にはパイプ状の軸受部１３が溶接により取付けられ、同軸受部１３内に回動軸１４が挿通されている。同回動軸１４の左右両端には連結片１５，１５を介して上枠４の左右の横枠１２，１２の前端（脚方向端）が一体に連結されている。これにより、上枠４は、下枠３に対し回動軸１４回りに水平姿勢から上向きに回動可能とされている。
【００２３】
脚部５は、下枠３の左右の横枠部材９，９の後端（頭方向端）に下端がボルト１５により回動可能に軸支された左右の中空四角柱からなる下脚部１６，１６と、上枠４の後端（頭方向端）に上端がボルト１５により回動可能に軸支された左右の中空四角柱からなる上脚部１７，１７とから構成されている。各上脚部１７の中空部の内寸は各下脚部１６の外寸よりも大きく、したがって、左右の各下脚部１６の上端部に左右の各上脚部１７の下端部が上下方向に外挿されるとともに、各下脚部１６の側面および各上脚部１７の側面に穿孔されたボルト孔１８，１９のそれぞれにボルト１５を挿通し、反対側からナットで締め付けることにより、各上脚部１７を各下脚部１６に連結支持し、これにより、上枠４の傾斜姿勢を保持するようになっている。各ボルト孔１８，１９は、各下脚部１６，上脚部１７に上下に複数設けられており、ボルト１５を挿通するボルト孔１８，１９を変更することで、図２に示すように、上枠４の傾斜角度を段階的に変更可能とされている。なお、上枠４の傾斜角度は、下脚部１６又は上脚部１７の長さやボルト孔１８，１９の位置・間隔を適宜変更することによって、床面Ｇに対し水平姿勢の０度から９０度未満の間で段階的に変更可能である。
【００２４】
分娩台６は、図３に示すように、上面で妊婦Ｗが楽な分娩姿勢をとり、分娩を行う台であって、図１および図３に示すように、前枠部材２１および後枠部材２２と左右の横枠部材２３とからなる枠体２０と、枠体２０の上面に取付けられた上板２４とから構成されている。左右の横枠部材２３の下面には、上枠４の左右の横枠部材１２のガイド面１２ａの上に載置される車輪２５が、複数箇所に亘り、取付けられている。したがって、分娩台６は、各車輪２５を介して、上枠４上に身長方向にスライド可能に載置されている。分娩台６と基台２との間には、分娩台６の脚方向へのスライドにより互いに衝突し合うストッパー２６および衝突部２７が設けられている。具体的には、ストッパー２６が基台２の上枠４の前枠部材１０の内側の左右２箇所に設けられ、各ストッパー２６に合わせて衝突部２７が分娩台６の前枠部材２１の前面の左右２箇所に設けられている。分娩台５の上板２４の前端には折り畳み可能な足踏用のステップ２８がヒンジ２９により取付けられ、また、左右の衝突部２７の内側に前記ステップ２８を分娩台６に対し直角に支える支持板３０がヒンジ結合されている。
【００２５】
分娩台６の上板２４の両側端には、分娩台６上の妊婦の身体を保持するバンド３１を止めるバンド止め具３２，３２が取付けられている。各止め具３２は、上板２４の両側端の上にその長手方向に軸線を合わせて取付けられた筒状の複数の軸受部３３と、各軸受部３３に軸支され折り畳み可能なバンド止め本体３４とから構成され、このバンド止め本体３４にバンド通し部３５が形成されている。バンド止め本体３４は、一本の長尺な棒状部材３６を各軸受部３３に挿通させて、左右を途中からコ字状に折り曲げて、両端同士を溶接で連結し、上下間に複数の支柱３７を溶接で取り付けて、隙間にバンド通し部３５を形成するようにしたものである。
【００２６】
分娩台６の後端（頭方向端）の上方には、分娩台６上の妊婦が掴むための把持具３８が取付けられている。把持具３８は、分娩台６の各横枠部材２３の後端（頭方向端）に分娩台５の長手方向に軸線を合わせて溶接により取付けられた筒体３９，３９と、各筒体３９に連結端４０ａが挿入されて上向きおよび前方にコ字形に折り曲げられた把持本体４０から構成され、把持本体４０の把持部４０ｂが分娩台４上の妊婦の頭上に位置している。把持本体４０の各連結端４０ａは、各筒体３９に対しボルト１５により連結されている。各筒体３９および把持本体４０の連結端４０ａのそれぞれには、ボルト１５を挿通する複数のボルト孔４１，４２が穿孔されている。ボルト１５を挿通するボルト孔４１，４２の位置を変更することで、把持部４０ｂの位置を変更し、分娩台４上の妊婦の身長に合わせて把持部４０ｂを最適位置に調整することができる。
【００２７】
基台２の上枠４の左右の横枠部材１２，１２の相対する内面には軸受部４３，４３が取付けられ、両軸受部４３間に回動軸４４が支持されている。回動軸４４の左右２箇所には直角方向に筒体４５，４５が一体に取付けられ、各筒体４５にはハンドル部４６ａと梃子部４６ｂを備えるＵ字形のバー４６の腕部４６ｃが挿通されている。このバー４６は、手前のハンドル部４６ａを押し下げ操作することにより、前端の両梃子部４６ｂで、分娩台６の横枠部材２３間に架設された桟部材４７を介して、分娩台６を身長方向上向きにスライドさせることができるようになっている。
【００２８】
なお、図中、符号４８は、基台２の下枠３の前枠部材７の前面に取付けられ、分娩装置の持ち運びの際に使用する把手部である。
【００２９】
次に、上に述べた構造の分娩装置１の作用について以下に述べる。
【００３０】
図１に示すように組み立てられた状態の分娩装置１において、図３に示すように傾斜姿勢の分娩台６の上に妊婦Ｗが乗り、ステップ２８の上に足を乗せると共に、背中を上板２４に寄りかからせて楽な分娩姿勢をとる。バンド３１をバンド止め具３２のバンド通し部３５に通し、妊婦Ｗの身体をバンド３１で保持する。分娩姿勢の妊婦Ｗは頭上の把持部４０ｂを手で掴む。かかる分娩姿勢で、分娩の補助者が、バー４６のハンドル部４６ａを押し下げ操作すると、図４に示すように、梃子の原理で、基台２の上枠４に対し、分娩台６が頭方向にスライドして持ち上げられる。分娩台６が持ち上げられた状態から、ハンドル部４６ａを戻すと、分娩台６が重力の分力により脚方向に上枠４上をスライドし、分娩台６の前端の衝突部２７が基台２の上枠４側のストッパー２６に衝突し、停止する。分娩台６側の衝突部２７が基台２側のストッパー２６に衝突する際の軽い衝撃により、妊婦Ｗの身体に物理的刺激を付与し、分娩促進作用が加わる。このようにして、繰り返し、バー４６のハンドル部４６ａの押し下げ操作することで、分娩台６上の妊婦Ｗに脚方向への軽い衝撃を繰り返し付与でき、妊婦Ｗに分娩促進作用を加え続けることができる。梃子の原理を利用しているので、分娩の補助者にかかる負担も非常に軽い。
【００３１】
上記の分娩装置１は、病院、助産施設、各家庭でも用いることができる。家庭に持ち運ぶには、分娩装置１をコンパクトに折り畳む必要がある。まず、分娩台６の後端からボルト１５を外して把持具３８を取り外す。次に、脚部５からボルト１５を外して各下脚部１６から上脚部１７を抜き出し、基台２の上枠４、下脚部１６および上脚部１７を水平に折り畳む。最後に、ステップ２８および左右のバンド止め具３２を折り畳む。このように持ち運びしやすいように分娩装置１をコンパクトに折り畳むことができる。図５に分娩装置１をコンパクトに折り畳んだ状態を示す。
【００３２】
かくして、本発明によれば、楽な姿勢で妊婦に効果的な物理的刺激を与え、分娩促進を図ることができ、また、装置全体をコンパクトに折り畳んで、持ち運び、収納に便利な分娩装置を得ることができる。
【産業上の利用可能性】
【００３３】
本発明は、分娩台上で分娩時に物理的な刺激を与えて分娩を促すことができる分娩装置として利用可能である。
【図面の簡単な説明】
【００３４】
【図１】本発明の第１の実施形態を示すもので、分娩装置の全体を示す斜視図、
【図２】図１に示す分娩装置の基台の上枠を段階的に傾斜させる様子を示す側面図、
【図３】図1に示す分娩装置の使用状態を示す側面図、
【図４】図１に示す分娩装置のバーのハンドル部を押し下げ操作して、分娩台を頭方向にスライドさせる作用を示す説明図、
【図５】図１に示す分娩装置を折り畳んだ状態を示す側面図である。
【符号の説明】
【００３５】
１  分娩装置
２  基台
３  下枠
４  上枠
５  脚部
６  分娩台
７，１０，２１  前枠部材
８，１１，２２  後枠部材
９，１２，２３  横枠部材
１２ａ  ガイド面
１３，３３，４３  軸受部
１４，４４  回動軸
１５  ボルト
１６  下脚部
１７  上脚部
１８，１９，４１，４２  ボルト孔
２０  枠体
２４  上板
２５  車輪
２６  ストッパー
２７  衝突部
２８  ステップ
２９  ヒンジ
３０  支持板
３１  バンド
３２  バンド止め具
３４  バンド止め本体
３５  バンド通し部
３６  棒状部材
３７  支柱
３８  把持具
３９，４５  筒体
４０  把持本体
４０ａ  連結端
４０ｂ  把持部
４６  バー
４６ａ  ハンドル部
４６ｂ  梃子部
４６ｃ  腕部
４７  桟部材
４８  把手部
Ｇ  床面
【図１】
2009233000.tif 000003
【図２】
2009233000.tif 000004
【図３】
2009233000.tif 000005
【図４】
2009233000.tif 000006
【図５】
2009233000.tif 000007